(57)【要約】 【課題】  患者への注意を維持したまま診察することが可能な病院情報システムを提供する。【解決手段】  病院情報システムは、信号発生器、サーバ、及び表示装置を具備する。信号発生器は、医師、患者、及びこれらのうち少なくともいずれかの状態を監視し、前記状態の変化に応じた検知信号を発生する。サーバは、前記検知信号に応じ、電子カルテに関する情報に基づく画像データを発生する。表示装置は、前記発生された画像データに係る画像を表示する。【選択図】図１
2018136834.tif 000002
【特許請求の範囲】
【請求項１】
医師、患者、及びこれらのうち少なくともいずれかの状態を監視し、前記状態の変化に応じた検知信号を発生する信号発生器と、
前記検知信号に応じ、電子カルテに関する情報に基づく画像データを発生するサーバと、
前記発生された画像データに係る画像を表示する表示装置と
を具備する病院情報システム。
【請求項２】
前記サーバは、前記検知信号に応じ、前記電子カルテに関する情報に基づく第１の画像データの発生から、前記電子カルテに関する情報に基づく第２の画像データの発生へ切り替え、
前記表示装置は、前記発生された第２の画像データに係る画像を表示する請求項１記載の病院情報システム。
【請求項３】
前記第２の画像データは、前記電子カルテにオーダ情報を入力するための画像情報に基づいて発生される請求項２記載の病院情報システム。
【請求項４】
電子カルテに関する情報が格納される電子カルテ情報データベースと、
前記医師、前記患者、及びこれらのうち少なくともいずれかについての所定の状態と、前記サーバが実行する所定の処理とが予め関連付けられる紐付情報データベースと
をさらに具備し、
前記サーバは、前記検知信号により表される前記状態の変化を前記紐付情報データベースに照合させることで実行する処理を決定し、前記決定した処理に対応する画像データを、前記電子カルテ情報データベースに格納される情報に基づいて発生する請求項１記載の病院情報システム。
【請求項５】
前記紐付情報データベースでは、前記医師の所定の状態と、前記電子カルテにオーダ情報を入力するオーダ入力処理とが関連付けられ、
前記サーバは、前記検知信号により表される前記医師の状態の変化を前記紐付情報データベースに照合させることで、オーダ入力処理を決定し、前記決定したオーダ入力処理に対応する画像データを、前記電子カルテ情報データベースに格納される情報に基づいて発生する請求項４記載の病院情報システム。
【請求項６】
前記サーバは、前記検知信号に応じ、電子カルテに関する情報に基づく医師用画像データと、患者用画像データとを発生し、
前記表示装置は、
前記医師用画像データに係る画像を表示する医師用表示装置と、
前記患者用画像データに係る画像を表示する患者用表示装置と
を有する請求項１乃至請求項５のいずれかに記載の病院情報システム。
【請求項７】
前記サーバは、前記検知信号に応じ、電子カルテに関する情報に基づく看護師用画像データを発生し、
前記表示装置は、前記看護師用画像データに係る画像を表示する看護師用表示装置を有する請求項６記載の病院情報システム。
【請求項８】
前記表示装置は、ヘッドマウントディスプレイである請求項１乃至請求項７のいずれかに記載の病院情報システム。
【請求項９】
医師、患者、及びこれらのうち少なくともいずれかの状態の変化に応じて発生される検知信号を受信する受信処理と、
前記検知信号に応じ、電子カルテに関する情報に基づく画像データを発生する画像生成処理と、
前記発生された画像データに係る画像を表示するように表示装置を制御する表示制御処理と
をサーバに搭載されるプロセッサに実施させるプログラム。
【請求項１０】
前記サーバは、電子カルテに関する情報が格納される電子カルテ情報データベースと、前記医師、前記患者、及びこれらのうち少なくともいずれかについての所定の状態と、前記サーバが実行する所定の処理とが予め関連付けられる紐付情報データベースと接続し、
前記紐付情報データベースに、前記検知信号により表される前記状態の変化を照合させることで、前記サーバが実行する処理を決定する制御処理を前記プロセッサにさらに実施させ、
前記画像生成処理は、前記決定された処理に対応する画像データを、前記電子カルテ情報データベースに格納される情報に基づいて発生する請求項９記載のプログラム。
【請求項１１】
前記紐付情報データベースでは、前記医師の所定の状態と、前記電子カルテにオーダ情報を入力するオーダ入力処理とが関連付けられ、
前記制御処理は、前記検知信号により表される前記医師の状態の変化を前記紐付情報データベースに照合させることで、前記サーバがオーダ入力処理を実行することを決定し、
前記画像生成処理は、前記決定したオーダ入力処理に対応する画像データを、前記電子カルテ情報データベースに格納される情報に基づいて発生する請求項１０記載のプログラム。
【請求項１２】
前記画像生成処理は、前記検知信号に応じ、電子カルテに関する情報に基づく医師用画像データと、患者用画像データとを発生し、
前記表示制御処理は、前記医師用画像データに係る画像を表示するように医師用表示装置を制御し、前記患者用画像データに係る画像を表示するように患者用表示装置を制御する請求項９乃至請求項１１のいずれかに記載のプログラム。
【請求項１３】
前記画像生成処理は、前記検知信号に応じ、電子カルテに関する情報に基づく看護師用画像データを発生し、
前記表示制御処理は、前記看護師用画像データに係る画像を表示するように看護師用表示装置を制御する請求項１２記載のプログラム。
【発明の詳細な説明】
【技術分野】
【０００１】
本発明の実施形態は、病院情報システム、及びそのプログラムに関する。
【背景技術】
【０００２】
近年、電子カルテの普及が進んでいる。電子カルテは、例えば、ＨＩＳ（Hospital Information System）を構成するＨＩＳサーバで管理され、医師の要求に応じてＨＩＳサーバから医師へ提供される。医師は、患者の診察中に電子カルテをモニタに表示させ、表示される電子カルテを確認する。また、医師は、モニタに表示される電子カルテに、例えば、主訴情報、所見情報、診断情報、及び治療計画情報等の情報、並びにオーダ情報等を入力する。
【０００３】
電子カルテを確認する度、又は、電子カルテへ情報を入力する度に、医師は、電子カルテが表示されているモニタを注視する必要がある。このように、医師は、診察時において、患者に加えて電子カルテが表示されているモニタへも注意を払っている。特に、モニタが医師の側方に配置されている場合、医師は、電子カルテを確認するためには体の方向をモニタへ向き合うように変更させなければならず、患者への注意がより離れることになる。
【先行技術文献】
【特許文献】
【０００４】
【特許文献１】特開２０１３−１０６７５２号公報
【特許文献２】特開２００５−１１１２６０号公報
【発明の概要】
【発明が解決しようとする課題】
【０００５】
そこで目的は、患者への注意を維持したまま診察することが可能な病院情報システム、及びそのプログラムを提供することにある。
【課題を解決するための手段】
【０００６】
実施形態によれば、病院情報システムは、信号発生器、サーバ、及び表示装置を具備する。信号発生器は、医師、患者、及びこれらのうち少なくともいずれかの状態を監視し、前記状態の変化に応じた検知信号を発生する。サーバは、前記検知信号に応じ、電子カルテに関する情報に基づく画像データを発生する。表示装置は、前記発生された画像データに係る画像を表示する。
【図面の簡単な説明】
【０００７】
【図１】図１は、本実施形態に係る病院情報システムの機能構成を表すブロック図である。
【図２】図２は、図１に示される表示装置の外観を表す図である。
【図３】図３は、図１に示される表示装置のその他の例を表す図である。
【図４】図４は、図１に示される紐付情報データベースに記憶される動作紐付けテーブルを表す図である。
【図５】図５は、図１に示される紐付情報データベースに記憶される表示制御テーブルを表す図である。
【図６】図６は、図１に示されるサーバの動作を表すフローチャートである。
【図７】図７は、図１に示される表示装置を利用する医師の視界を表す図である。
【図８】図８は、図１に示される表示装置を利用する患者の視界を表す図である。
【図９】図９は、図１に示される表示装置を利用する患者の視界のその他の例を表す図である。
【図１０】図１０は、図１に示される表示装置を利用する医師の視界のその他の例を表す図である。
【図１１】図１１は、図１に示される表示装置を利用する医師の視界のその他の例を表す図である。
【図１２】図１２は、図１０，１１に示されるカルテ領域における診察日当日のカルテを拡大した図である。
【図１３】図１３は、図１に示される表示装置に表示されるオーダパレット領域を表す図である。
【図１４】図１４は、図１３に表示されるオーダパレット領域のその他の例を表す図である。
【図１５】図１５は、図１に示される表示装置に表示される用法選択領域を表す図である。
【図１６】図１６は、図１に示される表示装置に表示されるカルテ登録領域を表す図である。
【図１７】図１７は、図５に示される表示制御テーブルのその他の例を表す図である。
【図１８】図１８は、本実施形態に係る病院情報システムのその他の機能構成を表すブロック図である。
【図１９】図１９は、図４に示される動作紐付けテーブルのその他の例を表す図である。
【図２０】図２０は、図５に示される表示制御テーブルのその他の例を表す図である。
【図２１】図２１は、図４に示される動作紐付けテーブルのその他の例を表す図である。
【図２２】図２２は、図５に示される表示制御テーブルのその他の例を表す図である。
【図２３】図２３は、図４に示される動作紐付けテーブルのその他の例を表す図である。
【図２４】図２４は、図５に示される表示制御テーブルのその他の例を表す図である。
【図２５】図２５は、図４に示される動作紐付けテーブルのその他の例を表す図である。
【発明を実施するための形態】
【０００８】
以下、実施の形態について、図面を参照して説明する。
【０００９】
図１は、本実施形態に係る病院情報システム１の機能構成の例を表すブロック図である。図１に示される病院情報システム１は、サーバ１０、表示装置２０−１，２０−２、及び信号発生器３０−１，３０−２を具備する。サーバ１０、表示装置２０−１，２０−２、及び信号発生器３０−１，３０−２は、ＬＡＮ（Local Area Network）へ接続される。なお、ＬＡＮへの接続は、有線接続、及び無線接続を問わない。また、ＶＰＮ（Virtual Private Network）等によりセキュリティが確保されるのであれば、接続される回線はＬＡＮに限定されない。インターネット等、公衆の通信回線に接続するようにしても構わない。
【００１０】
サーバ１０は、病院情報システム１を構成するサーバの一つである。サーバ１０は、通信インタフェース回路１１、記憶回路１２、及び制御回路１３を備える。通信インタフェース回路１１、記憶回路１２、及び制御回路１３は、例えば、バスを介して互いに通信可能に接続されている。
【００１１】
通信インタフェース回路１１は、ＬＡＮを介して表示装置２０−１，２０−２、及び信号発生器３０−１，３０−２との通信を伝送制御するネットワークインタフェースである。
【００１２】
記憶回路１２は、種々の情報を記憶するＨＤＤ（hard disk drive）、ＳＳＤ（solid state drive）、及び集積回路記憶装置等の記憶装置である。また、記憶回路１２は、ＣＤ−ＲＯＭドライブ、ＤＶＤドライブ、及びフラッシュメモリ等の可搬性記憶媒体との間で種々の情報を読み書きする駆動装置等であっても良い。記憶回路１２は、オペレーティングシステム等の制御プログラム、及び各種アプリケーションプログラム、並びに、これらのプログラムに付随する各種操作画面の表示データを記憶している。
【００１３】
また、記憶回路１２は、電子カルテ情報ＤＢ（Data Base）１２１、及び紐付情報ＤＢ１２２として機能する。電子カルテ情報ＤＢ１２１には、電子カルテ情報が患者毎に格納されている。電子カルテ情報には、各診療日における主訴情報、所見情報、診断情報、及び治療計画情報、並びに、各診療日におけるオーダ情報が含まれる。また、電子カルテ情報には、診断された病名、検査結果、検査結果レポート、及び既往歴等が含まれる。
【００１４】
紐付情報ＤＢ１２２では、表示装置２０−１，２０−２を用いて実行される処理と、この処理が実行されるための所定の条件等とが関連付けられている。例えば、本実施形態では、紐付情報ＤＢ１２２には、所定の処理と、この処理に対応する条件とが関連付けられた動作紐付きテーブル１２２１が記憶されている。
【００１５】
表示装置２０−１，２０−２を用いて実行される処理には、電子カルテへ情報を入力する診療入力処理、及び電子カルテへオーダ情報を入力するオーダ入力処理等が含まれる。この処理が実行されるための条件には、例えば、信号発生器３０−１から出力される検知信号に基づいて認識される医師の状態、又は信号発生器３０−２から出力される検知信号に基づいて認識される患者の状態等が含まれる。
【００１６】
また、紐付情報ＤＢ１２２には、表示装置２０−１，２０−２を用いて実行される処理と、この処理に係る画像の表示に関する情報とが関連付けられている。例えば、本実施形態では、紐付情報ＤＢ１２２には、実行される処理と、表示に関する情報とが関連付けられた表示制御テーブル１２２２が記憶されている。
【００１７】
表示に関する情報には、画像の表示先、表示先での表示位置、及び処理についての表示先の権限等が含まれる。表示先が医師である場合の表示位置は、視界に捉えられる患者の位置を配慮して予め設定される。また、表示先が患者である場合の表示位置は、視界に捉えられる医師の位置を配慮して予め設定される。なお、表示に関する情報には、表示サイズ、及び透過度等、その他の情報が含まれていても構わない。
【００１８】
なお、本実施形態では、記憶回路１２が、電子カルテ情報ＤＢ１２１、及び紐付情報ＤＢ１２２として機能する場合を例に説明するが、これに限定されない。電子カルテ情報ＤＢ１２１、及び紐付情報ＤＢ１２２は、サーバ１０とは別体に設けられ、かつ、ＬＡＮに接続する記憶装置により実現されてもよい。
【００１９】
制御回路１３は、サーバ１０の中枢として機能するプロセッサである。制御回路１３は、記憶回路１２に記憶されている制御プログラムを実行することで、当該プログラムに対応する機能を実現する。例えば、制御回路１３は、処理制御機能１３１、画像生成機能１３２、及び表示制御機能１３３を有する。なお、本実施形態では、単一のプロセッサによって処理制御機能１３１、画像生成機能１３２、及び表示制御機能１３３が実現される場合を説明するが、これに限定されない。例えば、複数の独立したプロセッサを組み合わせて制御回路を構成し、各プロセッサが動作プログラムを実行することにより処理制御機能１３１、画像生成機能１３２、及び表示制御機能１３３を実現しても構わない。
【００２０】
処理制御機能１３１は、表示装置２０−１，２０−２に実行させる処理を決定する機能である。具体的には、例えば、制御回路１３は、信号発生器３０−１，３０−２から出力される検知信号に基づく所定の情報を取得すると、処理制御機能１３１を実行する。処理制御機能１３１を実行すると、制御回路１３は、取得した情報を、紐付情報ＤＢ１２２に記憶されている動作紐付きテーブル１２２１に照合させることで、表示装置２０−１，２０−２に実行させる処理を決定する。また、制御回路１３は、決定した処理を、紐付情報ＤＢ１２２に記憶されている表示制御テーブル１２２２に照合させることで、表示に関する情報を取得する。
【００２１】
画像生成機能１３２は、所望の画像データを生成する機能である。具体的には、例えば、制御回路１３は、表示に関する情報を取得すると、画像生成機能１３２を実行する。画像生成機能１３２を実行すると、制御回路１３は、決定された処理に応じた情報を記憶回路１２から読み出す。記憶回路１２から読み出される情報には、例えば、所望の患者についての電子カルテ情報、及び電子カルテにオーダ情報を入力するオーダパレット等の画像情報等が含まれる。制御回路１３は、読み出した情報に基づいて画像データを生成する。
【００２２】
表示制御機能１３３は、生成した画像データを表示するように表示装置２０−１，２０−２を制御する機能である。具体的には、例えば、制御回路１３は、画像データが生成されると表示制御機能１３３を実行する。表示制御機能１３３を実行すると、制御回路１３は、表示に関する情報に基づき、生成した画像データを表示するように表示装置２０−１，２０−２を制御する。
【００２３】
表示装置２０−１，２０−２は、サーバ１０からの制御に従って画像データを表示する。表示装置２０−１は、医師が画像データを視認するための装置であり、表示装置２０−２は、患者が画像データを視認するための装置である。
【００２４】
図２は、本実施形態に係る表示装置２０−１，２０−２の外観の例を表す模式図である。なお、表示装置２０−１の構造と、表示装置２０−２の構造とは同様であるため、図２では、表示装置２０と称して説明する。
【００２５】
図２に示される表示装置２０は、医師、又は患者等の使用者の頭部に装着可能なヘッドマウントディスプレイ（Head Mounted Display：ＨＭＤ）である。表示装置２０は、例えば、眼鏡型の形状を有する。表示装置２０は、第１及び第２表示部２１，２２、及び第１及び第２表示駆動部２３，２４を備える。
【００２６】
第１表示部２１は、使用者が表示装置２０を装着した際に使用者の右眼前に位置するように配置されている。第２表示部２２は、使用者が表示装置２０を装着した際に使用者の左眼前に位置するように配置されている。
【００２７】
第１表示駆動部２３は、使用者が表示装置２０を装着した際に、右側頭部と対向する位置に配置される。第１表示駆動部２３は、第１表示部２１に画像光を投光し、第１表示部２１に画像を表示させる。第２表示駆動部２４は、使用者が表示装置２０を装着した際に、左側頭部と対向する位置に配置される。第２表示駆動部２４は、第２表示部２２に画像光を投光し、第２表示部２２に画像を表示させる。
【００２８】
第１及び第２表示駆動部２３，２４は、例えば、通信部、画像光生成部、及び投光部等を含む。通信部は、サーバ１０からＬＡＮを介して供給される画像データ、及び制御情報を受信する。画像光生成部は、受信された画像データに基づいて画像光を生成する。投光部は、制御情報に基づき、画像光生成部で生成された画像光を、第１又は第２表示部２１，２２へ投光する。このように、表示装置２０−１，２０−２は、サーバ１０から出力される画像データを虚像として表示する。使用者は、虚像を視認すると同時に、対向して座する医師、又は患者も、第１及び第２表示部２１，２２を透過して直接視認することが可能となる。
【００２９】
また、表示装置２０−１，２０−２は、図２に示されるＨＭＤに限定されない。表示装置２０−１，２０−２は、例えば、図３に示されるように、医師、及び患者の間の、医師、及び患者が互いを視認することを遮らない位置に設けられる装置であってもよい。表示装置２０−１，２０−２は、例えば、図３（ａ）（ｂ）に示されるように所望の情報を表示する。
【００３０】
表示装置２０−１，２０−２は、図３（ａ）に示される表示を実現するため、例えば、サーバ１０から供給される画像データに基づいてホログラム画像を生成する生成機構２５と、生成したホログラム画像を表示する表示機構２６とを有する。また、表示装置２０−１，２０−２は、図３（ｂ）に示される表示を実現するため、例えば、サーバ１０から供給される画像データに基づいて画像光を生成する生成機構２７と、生成した画像光が投光されるスクリーン２８とを有する。
【００３１】
信号発生器３０−１は、医師の動作を検知可能な位置に設置され、医師の状態、例えば、医師の動作等を検知する。信号発生器３０−１は、検知した状態に基づく検知信号をサーバ１０へＬＡＮを介して出力する。
【００３２】
信号発生器３０−１は、例えば、診察室内に設置される撮像装置であり、医師の動作を撮影する。なお、撮像装置は、表示装置２０−１，２０−２に取り付けられていてもよい。信号発生器３０−１は、撮影により取得した画像データを検知信号として予め設定された周期でサーバ１０へ出力する。
【００３３】
また、信号発生器３０−１は、医師の状態を検知する種々のセンサであってもよい。センサには、例えば、所定の領域への侵入を検知する赤外線センサ、及び加速度を検知する加速度センサ等が挙げられる。
【００３４】
信号発生器３０−１が赤外線センサである場合、信号発生器３０−１は、診察室内に設置される。なお、赤外線センサは、表示装置２０−１，２０−２に取り付けられていてもよい。信号発生器３０−１は、医師の少なくとも一部が当該領域へ侵入したことを検知し、検知したことを表す検知信号をサーバ１０へ出力する。
【００３５】
また、信号発生器３０−１が加速度センサである場合、信号発生器３０−１は、表示装置２０−１に設けられる。信号発生器３０−１は、医師の着席、及び起立等の動作を検知し、検知した動作を表す検知信号をサーバ１０へ出力する。また、信号発生器３０−１は、Indoor Messaging Systemを用いて実現されても構わない。
【００３６】
信号発生器３０−２は、患者の動作を検知可能な位置に設置され、患者の状態、例えば、患者の動作等を検知する。信号発生器３０−２は、検知した状態に基づく検知信号をサーバ１０へＬＡＮを介して出力する。
【００３７】
信号発生器３０−２は、例えば、診察室内に設置される撮像装置であり、患者の動作を撮影する。なお、撮像装置は、表示装置２０−１，２０−２に取り付けられていてもよい。信号発生器３０−２は、撮影により取得した画像データを検知信号として予め設定された周期でサーバ１０へ出力する。
【００３８】
また、信号発生器３０−２は、患者の状態を検知する種々のセンサであってもよい。センサには、例えば、所定の領域への侵入を検知する赤外線センサ、及び加速度を検知する加速度センサが挙げられる。
【００３９】
信号発生器３０−２が赤外線センサである場合、信号発生器３０−２は、診察室内に設置される。なお、赤外線センサは、表示装置２０−１，２０−２に取り付けられていてもよい。信号発生器３０−２は、患者の少なくとも一部が当該領域へ侵入したことを検知し、検知したことを表す検知信号をサーバ１０へ出力する。
【００４０】
また、信号発生器３０−２が加速度センサである場合、信号発生器３０−２は、表示装置２０−２に設けられる。信号発生器３０−２は、患者の着席、及び起立等の動作を検知し、検知した動作を表す検知信号をサーバ１０へ出力する。また、信号発生器３０−２は、Indoor Messaging Systemを用いて実現されても構わない。
【００４１】
次に、以上のように構成された病院情報システム１を用いた診察動作の例を詳細に説明する。なお、以下の例では、表示装置２０−１，２０−２は、ＨＭＤである。また、信号発生器３０−１，３０−２は、撮像装置であり、撮影により得られた画像データを検知信号としてサーバ１０へ送信する。また、紐付情報ＤＢ１２２に、図４に示される動作紐付けテーブル１２２１と、図５に示される表示制御テーブル１２２２とが記憶されている。図４に示される動作紐付けテーブル１２２１では、動作の監視対象、画像の表示先、実行される処理、条件１、条件２、条件３、及び条件設定がレコードとして登録されている。図５に示される表示制御テーブル１２２２では、実行される処理、表示位置、表示先、及び処理についての表示先の権限がレコードとして登録されている。
【００４２】
なお、図５に示される「表示位置（縦、横、奥行き（ｃｍ））」は、表示させる画像の中心位置を意味する。縦、横、及び奥行きの各数値は、ＨＭＤである表示装置２０−１，２０−２の、第１表示部２１及び第２表示部２２の中心位置からの距離を表す。例えば、「表示位置：１０，０，５０」である場合、画像は、画像の中心が第１表示部２１及び第２表示部２２の中心位置から１０ｃｍ上方、かつ、５０ｃｍ前方に位置して視認されるように表示される。
病院情報システム１は、図示していない受付端末をさらに有する。受付端末は、来院した患者についての所定の受付情報の入力を受け付ける。受付端末は、入力された受付情報に基づき、受付番号、患者番号、患者氏名、年齢、性別、感染、検査結果、及び受付時間等を登録する。受付端末は、登録した順に患者をリスト化した患者リストを作成する。受付端末は、作成した患者リストを、ＬＡＮを介してサーバ１０へ送信する。
【００４３】
図６は、医師が患者を診察する際のサーバ１０の動作の例を表すフローチャートである。サーバ１０に設けられる制御回路１３は、患者リストを受信すると画像生成機能１３２を実行する。画像生成機能１３２を実行すると、制御回路１３は、受信した患者リストに基づいて画像データを生成する。制御回路１３は、画像データが生成されると表示制御機能１３３を実行する。表示制御機能１３３を実行すると制御回路１３は、生成された画像データが表示されるように、医師用に設けられる表示装置２０−１を制御する（ステップＳ６１）。これにより、表示装置２０−１には、患者リストが表示される。図７は、表示装置２０−１を利用した際の医師の視界の例を模式的に表す図である。医師は、図７に示されるように、患者リストについて表示された患者リスト領域ＡＲ１と、実在する構造物である椅子、及びドア等とを視認可能である。
【００４４】
サーバ１０は、信号発生器３０−１，３０−２から送信される検知信号を受け付ける（ステップＳ６２）。制御回路１３は、検知信号を受信すると（ステップＳ６２のＹｅｓ）、受信した検知信号を復号し、画像データを生成する。画像データを生成すると、制御回路１３は、処理制御機能１３１を実行し、生成した画像データを解析する（ステップＳ６３）。制御回路１３は、解析結果に基づき、信号発生器３０−１の監視対象である医師の動作と、信号発生器３０−２の監視対象である患者の動作とを認識する。
【００４５】
制御回路１３は、認識した医師の動作、患者の動作、及び表示装置２０−１，２０−２の動作状況が、動作紐付きテーブル１２２１に含まれる条件を満たすか否かを判断する（ステップＳ６４）。制御回路１３は、医師の動作、患者の動作、及び表示装置２０−１，２０−２の動作状況が、動作紐付きテーブル１２２１に含まれる条件を満たす場合（ステップＳ６４のＹｅｓ）、満たした条件に対応する処理を動作紐付きテーブル１２２１から取得する（ステップＳ６５）。動作紐付きテーブル１２２１に含まれる条件を満たさない場合（ステップＳ６４のＮｏ）、制御回路１３は、ステップＳ６２の処理へ移行する。
【００４６】
制御回路１３は、処理を取得すると、取得した処理が「診療入力処理終了」であるか否かを判断する（ステップＳ６６）。「診療入力処理終了」である場合（ステップＳ６６のＹｅｓ）、制御回路１３は、診療入力処理を終了させる。取得した処理が「診療入力処理終了」でない場合（ステップＳ６６のＮｏ）、制御回路１３は、ステップＳ６５で取得した処理を、表示制御テーブル１２２２に照合させることで、表示に関する情報を取得する（ステップＳ６７）。
【００４７】
続いて、制御回路１３は、画像生成機能１３２を実行する。画像生成機能１３２を実行すると制御回路１３は、ステップＳ６５で取得した処理に応じた情報を記憶回路１２から読み出す。制御回路１３は、読み出した情報に基づいて画像データを生成する（ステップＳ６８）。
【００４８】
制御回路１３は、画像データを生成すると表示制御機能１３３を実行する。表示制御機能１３３を実行すると制御回路１３は、ステップＳ６８で生成した画像データをステップＳ６７で取得した表示に関する情報に基づいて表示するように、表示装置２０−１，２０−２を制御する（ステップＳ６９）。例えば、制御回路１３は、生成した画像データと、取得した表示に関する情報に基づく制御信号とを表示装置２０−１，２０−２へ送信する。具体的には、制御回路１３は、画像データに含まれる制御領域に、取得した表示に関する情報を書き込む。制御回路１３は、制御情報を書き込んだ画像データを表示装置２０−１，２０−２へ送信する。また、制御回路１３は、画像データの送信よりも先に、取得した表示に関する情報に基づく制御信号を表示装置２０−１，２０−２へ送信しても構わない。
【００４９】
続いて、サーバ１０の動作を具体的な表示例と合わせて説明する。例えば、ステップＳ６３において、信号発生器３０−２により撮影された画像を解析した結果、制御回路１３が、患者が座る動作を認識したとする。制御回路１３は、「患者が座る動作」と、動作紐付きテーブル１２２１とを照合する。制御回路１３は、レコード４２に含まれる「監視対象：患者」、「条件１：座る」、及び「条件設定：条件１」が、認識している「患者が座る動作」と一致すると判断する（ステップＳ６４のＹｅｓ）。制御回路１３は、レコード４２に含まれる「表示先：患者」、及び「処理：診療入力処理」を取得する（ステップＳ６５）。「診療入力処理」は、電子カルテに関する情報を、電子カルテへの編集可能に表示する処理である。
【００５０】
制御回路１３は、ステップＳ６５で取得した「表示先：患者」、及び「処理：診療入力処理」を、表示制御テーブル１２２２に照合させる。制御回路１３は、レコード５２に含まれる「表示先：患者」、及び「処理：診療入力処理」が、取得した「表示先：患者」、及び「処理：診療入力処理」と一致すると判断する。制御回路１３は、レコード５２に含まれる「表示位置：１０，０，５０」、及び「権限：参照」を取得する（ステップＳ６７）。
【００５１】
制御回路１３は、ステップＳ６５で取得した「処理：診療入力処理」に応じた情報、すなわち、電子カルテに関する情報を記憶回路１２の電子カルテ情報ＤＢ１２１から読み出す。このとき、制御回路１３は、患者リストに基づき、電子カルテ情報ＤＢ１２１から電子カルテに関する情報を読み出す。制御回路１３は、電子カルテに関する情報に基づいて画像データを生成する（ステップＳ６８）。制御回路１３は、ステップＳ６７で取得した「表示位置：１０，０，５０」、及び「権限：参照」に基づいて画像データを表示するように、表示装置２０−２を制御する（ステップＳ６９）。
【００５２】
これにより、表示装置２０−２には、電子カルテに関する情報が、「表示位置：１０，０，５０」に表示される。図８は、表示装置２０−２を利用した患者の視界の例を模式的に表す図である。図８では、電子カルテに関する情報を表す領域ＡＲ２が背景を透過可能に表示されている。患者は、図８に示されるように、電子カルテに関する情報を表す領域ＡＲ２の虚像を、実在する医師と自身との間に視認可能となる。なお、「権限：参照」に基づき、患者には、領域ＡＲ２についての編集は認められていない。
【００５３】
図９は、表示装置２０−２を利用した際の患者の視界のその他の例を模式的に表す図である。図９では、電子カルテに関する情報を複数の領域に分けて表示するようにしている。このとき、表示制御テーブル１２２２では、各領域についての表示位置が設定されている。図９によれば、患者は、電子カルテに関する情報を表す領域である、患者氏名領域ＡＲ３、病名領域ＡＲ４、カルテ領域ＡＲ５、及び検査結果領域ＡＲ６と、医師プロフィール領域ＡＲ７と、実在する医師とを視認可能である。カルテ領域ＡＲ５には、過去の診療日における情報も含まれている。
【００５４】
なお、「権限：参照」に基づき、患者には、患者氏名領域ＡＲ３、病名領域ＡＲ４、カルテ領域ＡＲ５、及び検査結果領域ＡＲ６についての編集は認められていない。ただし、患者は、表示装置２０−２に表示されている情報をさらに参照することが可能である。例えば、患者が、虚像としてのカルテ領域ＡＲ５が位置すると想定される実際の空間へ手を移動させる。信号発生器３０−２は、患者の手が想定の空間へ移動されたことを検知する。制御回路１３は、この手の動きに応じ、例えば、異なる診療日のカルテに関する画像データを生成する。制御回路１３は、新たに生成した画像データをカルテ領域ＡＲ５に表示するように、表示装置２０−２を制御する。また、患者がオーダ情報として入力された処方薬に対応する空間へ手を移動させることで、制御回路１３は、処方薬についての詳細な情報を表す画像データを生成するようにしてもよい。制御回路１３は、処方箋に関して新たに生成した画像データを、所定の領域に表示するように、表示装置２０−２を制御する。
【００５５】
表示装置２０−２に電子カルテに関する画像が表示されるとき、医師側に設けられる表示装置２０−１では、例えば、以下の処理が実行される。制御回路１３が、ステップＳ６３において、患者が座る動作を認識した際に、図７に示されるように、表示装置２０−１に患者リスト領域ＡＲ１が表示されているとする。制御回路１３は、「患者が座る動作」、及び「患者リストの表示処理」と、動作紐付きテーブル１２２１とを照合する。制御回路１３は、レコード４１に含まれる「監視対象：患者」、「条件１：患者リストの表示中」、「条件２：座る」、及び「条件設定：条件１  ＡＮＤ  条件２」が、「患者が座る動作」、及び「患者リストの表示処理」と一致すると判断する（ステップＳ６４のＹｅｓ）。制御回路１３は、レコード４１に含まれる「表示先：医師」、及び「処理：診療入力処理」を取得する（ステップＳ６５）。
【００５６】
制御回路１３は、ステップＳ６５で取得した「表示先：医師」、及び「処理：診療入力処理」を、表示制御テーブル１２２２に照合させる。制御回路１３は、レコード５１に含まれる「表示先：医師」、及び「処理：診療入力処理」が、取得した「表示先：医師」、及び「処理：診療入力処理」と一致すると判断する。制御回路１３は、レコード５１に含まれる「表示位置：１０，０，５０」、及び「権限：編集」を取得する（ステップＳ６７）。
【００５７】
制御回路１３は、ステップＳ６５で取得した「処理：診療入力処理」に応じた情報、すなわち、電子カルテに関する情報を記憶回路１２の電子カルテ情報ＤＢ１２１から読み出す。制御回路１３は、電子カルテに関する情報に基づいて画像データを生成する（ステップＳ６８）。制御回路１３は、ステップＳ６７で取得した「表示位置：１０，０，５０」、及び「権限：編集」に基づいて画像データを表示するように、表示装置２０−１を制御する（ステップＳ６９）。
【００５８】
これにより、表示装置２０−１には、電子カルテに関する情報が、「表示位置：１０，０，５０」に表示される。図１０は、表示装置２０−１を利用した医師の視界の例を模式的に表す図である。図１０では、電子カルテに関する情報を表す領域ＡＲ２が背景を透過可能に表示されている。医師は、図１０に示されるように、電子カルテに関する情報を表す領域ＡＲ２の虚像を、実在する患者と自身との間に視認可能となる。
図１１は、表示装置２０−１を利用した際の医師の視界のその他の例を模式的に表す図である。図１１では、電子カルテに関する情報を複数の領域に分けて表示するようにしている。図１１によれば、医師は、電子カルテに関する情報を表す領域である、患者氏名領域ＡＲ３、病名領域ＡＲ４、カルテ領域ＡＲ５、検査結果レポート領域ＡＲ８、及び注意領域ＡＲ９と、機能一覧領域ＡＲ１０と、実在する患者とを視認可能である。
【００５９】
注意領域ＡＲ９は、患者の状態に基づいて認識される患者の症状、及び注意すべき情報が表示される。
【００６０】
機能一覧領域ＡＲ１０は、利用可能な機能の一覧を表す。医師は、機能一覧領域ＡＲ１０に含まれる機能と対応する処理を所定の機器に実行させることが可能である。
【００６１】
例えば、医師が、虚像としての機能一覧領域ＡＲ１０が位置すると想定される実際の空間へ手を移動させる。信号発生器３０−１は、医師の手が想定の空間へ移動されたことを検知する。制御回路１３は、手の位置と対応する位置に割り当てられた機能についての処理を実行するように、所定の機器を制御する。例えば、制御回路１３は、手の位置と対応する位置に割り当てられた機能に関する画像データを生成し、生成した画像データを所定の領域に表示するように、表示装置２０−１を制御する。なお、機能一覧領域ＡＲ１０に含まれる機能は、図１１に示されるものに限定されない。機能一覧領域ＡＲ１０には、院内状況、及び症状詳記等、他の機能が含まれていてもよい。
【００６２】
次に、電子カルテへオーダ情報の入力を受け付ける際のサーバ１０の動作を具体的な表示例と合わせて説明する。例えば、医師が、カルテ領域ＡＲ５におけるオーダパレットボタン領域ＡＲ５１が位置すると想定される実際の空間へ手を移動させる。図１２は、図１０，１１に示されるカルテ領域ＡＲ５における診察日当日のカルテを拡大した図である。図１２に示されるオーダパレットボタン領域ＡＲ５１には、処方、注射、処置、検体、生体、画像、他、及び診察が含まれる。
【００６３】
以下では、医師が内服薬の処方をオーダする場合を例に説明する。例えば、ステップＳ６３において、信号発生器３０−１により撮影された画像を解析した結果、制御回路１３が、医師がオーダパレットボタン領域ＡＲ５１における「処方」に対応する位置へ手をかざしたと認識したとする。制御回路１３は、「医師がオーダパレットボタン領域ＡＲ５１における「処方」に対応する位置へ手をかざした動作」と、動作紐付きテーブル１２２１とを照合する。制御回路１３は、レコード４３に含まれる「監視対象：医師」、「条件１：カルテを起動」、「条件２：オーダパレットボタンに手をかざす」、及び「条件設定：条件１  ＡＮＤ  条件２」が、認識している「医師がオーダパレットボタン領域ＡＲ５１における「処方」に対応する位置へ手をかざした動作」と一致すると判断する（ステップＳ６４のＹｅｓ）。
【００６４】
制御回路１３は、レコード４３に含まれる「表示先：医師」、及び「処理：オーダ入力処理」を取得する（ステップＳ６５）。「オーダ入力処理」は、オーダ情報を電子カルテへ入力可能に表示する処理である。また、同様に、制御回路１３は、レコード４４に含まれる「表示先：患者」、及び「処理：オーダ入力処理」を取得する（ステップＳ６５）。
【００６５】
制御回路１３は、ステップＳ６５で取得した「表示先：医師」、及び「処理：オーダ入力処理」を、表示制御テーブル１２２２に照合させる。制御回路１３は、レコード５３に含まれる「表示先：医師」、及び「処理：オーダ入力処理」が、取得した「表示先：医師」、及び「処理：オーダ入力処理」と一致すると判断する。制御回路１３は、レコード５３に含まれる「表示位置：−１０，３０，５０」、及び「権限：編集」を取得する（ステップＳ６７）。また、同様に、制御回路１３は、ステップＳ６５で取得した「表示先：患者」、及び「処理：オーダ入力処理」から、レコード５４に含まれる「表示位置：−１０，３０，５０」、及び「権限：参照」を取得する（ステップＳ６７）。
【００６６】
制御回路１３は、ステップＳ６５で取得した「処理：オーダ入力処理」に応じた情報、すなわち、オーダパレットについての表示データを記憶回路１２から読み出す。制御回路１３は、オーダパレットについての画像情報に基づいて画像データを生成する（ステップＳ６８）。制御回路１３は、ステップＳ６７で取得した「表示位置：−１０，３０，５０」、及び「権限：編集」に基づいて画像データを表示するように、表示装置２０−１を制御する（ステップＳ６９）。また、同様に、制御回路１３は、ステップＳ６７で取得した「表示位置：−１０，３０，５０」、及び「権限：参照」に基づいて画像データを表示するように、表示装置２０−２を制御する（ステップＳ６９）。これにより、表示装置２０−１，２０−２には、オーダパレットが、「表示位置：−１０，３０，５０」に表示される。
【００６７】
図１３は、表示装置２０−１に表示されるオーダパレット領域ＡＲ５２の例を表す図である。医師は、表示装置２０−１に表示されるオーダパレット領域ＡＲ５２を介し、内服薬の処方を入力する。以下では、「ロキソニン（登録商標）６０ｍｇ  １回１錠  １日３回  ７日分」を入力する際の動作を説明する。
【００６８】
まず、医師は、図１３に示される薬剤タグ領域ＡＲ５２１に対応する位置へ手をかざすことで、「薬剤」の入力を選択する。制御回路１３は、「薬剤」の入力が選択されると、キーボード領域ＡＲ５２２を表示装置２０−１に表示させる。医師は、キーボード領域ＡＲ５２２に手をかざすことで、処方を予定する薬剤の先頭の文字を見出しとして検索領域ＡＲ５２３へ入力する。制御回路１３は、見出し文字が入力されると、見出し文字に応じた薬剤の一覧領域ＡＲ５２４を、表示装置２０−１に表示させる。
【００６９】
図１４は、一覧領域ＡＲ５２４が表示されるオーダパレット領域ＡＲ５２の例を表す図である。医師は、一覧領域ＡＲ５２４に表示されている薬剤に対応する位置へ手をかざすことで、処方を予定する薬剤を選択する。制御回路１３は、薬剤が選択されると、選択された薬剤の数量を入力するための数量入力領域ＡＲ５２５を表示装置２０−１に表示させる。医師は、数量入力領域ＡＲ５２５に表示されている数字に対応する位置へ手をかざすことで、選択されている薬剤の一日分の数量を入力する。
【００７０】
数量の入力が完了すると、医師は、数量入力領域ＡＲ５２５に表示されている「ＯＫ」に対応する位置へ手をかざす。制御回路１３は、「ＯＫ」に手がかざされると、入力された数量を確定し、数量入力領域ＡＲ５２５を閉じる。数量入力領域ＡＲ５２５が閉じると、医師は、オーダパレット領域ＡＲ５２に表示されている「ＯＫ」に対応する位置へ手をかざし、「薬剤」の入力を終了させる。なお、同一の用法で処方する薬剤が複数ある場合には、例えば、薬剤の指定、及び数量の指定を必要回数繰り返した後、「用法」の選択へ移行する。
【００７１】
図１４によれば、「ロキソ」が見出し語として入力され、入力された「ロキソ」に対応する薬剤を含む一覧領域ＡＲ５２４が表示されている。医師は、一覧領域ＡＲ５２４に表示される「ロキソニン錠６０ｍｇ」を選択し、１日当たり３錠と入力する。数量の入力が完了すると、医師は、数量入力領域ＡＲ５２５に表示されている「ＯＫ」に対応する位置へ手をかざすことで、入力した数量を確定させる。そして、医師は、オーダパレット領域ＡＲ５２に表示されている「ＯＫ」に対応する位置へ手をかざすことで、指定した薬剤、及び数量を確定させる。
【００７２】
続いて、医師は、図１３に示される用法タグ領域ＡＲ５２６に対応する位置へ手をかざすことで、「用法」の入力を選択する。制御回路１３は、「用法」の入力が選択されると、図１５に示される用法選択領域ＡＲ５２７を表示装置２０−１に表示させる。医師は、用法選択領域ＡＲ５２７における所定の位置へ手をかざすことで、用法を選択する。用法の選択が完了すると、医師は、用法選択領域ＡＲ５２７に表示されている「ＯＫ」に対応する位置へ手をかざす。制御回路１３は、「ＯＫ」に手がかざされると、選択された用法を確定する。
【００７３】
図１５によれば、「分３」が選択され、選択された「分３」に対応する用法を含む一覧領域ＡＲ５２８が表示されている。医師は、一覧領域ＡＲ５２８に表示される「１日３回  毎食後服用」に対応する位置へ手をかざし、「１日３回  毎食後服用」を選択する。医師は、処方日数「７日」に対応する位置へ手をかざし、「７日」を選択する。用法の選択が完了すると、医師は、用法選択領域ＡＲ５２７に表示されている「ＯＫ」に対応する位置へ手をかざすことで、選択した用法を確定させる。これにより、カルテ領域ＡＲ５に「内服  ロキソニン錠６０ｍｇ  ３錠  １日３回  毎食後服用  ７日分」が、オーダ情報として入力されることになる。
【００７４】
医師は、電子カルテへの主訴情報、所見情報、診断情報、及び治療計画情報、並びに、オーダ情報等の入力が完了すると、カルテ領域ＡＲ５に表示されている「確定」に対応する位置へ手をかざす。制御回路１３は、「確定」に手がかざされると、電子カルテに入力した情報を確定させ、図１６に表されるカルテ登録領域ＡＲ５３を、表示装置２０−１に表示させる。医師は、カルテ登録領域ＡＲ５３において所定の情報を入力するための領域に、必要に応じて手をかざす。医師は、必要な情報の入力が完了すると、カルテ登録領域ＡＲ５３に表示されている「登録」に対応する位置へ手をかざす。制御回路１３は、「登録」に手がかざされると、電子カルテに関する情報を電子カルテ情報ＤＢ１２１へ登録する。
【００７５】
次に、患者の診察を終了させる際のサーバ１０の動作を説明する。例えば、制御回路１３が、ステップＳ６３において、患者が起立する動作を認識した際に、図８、又は図９に示されるように、表示装置２０−２に電子カルテに関する情報を表す領域が表示されているとする。
【００７６】
制御回路１３は、「患者が起立する動作」、及び「電子カルテに関する情報の表示処理」と、動作紐付きテーブル１２２１とを照合する。制御回路１３は、レコード４５に含まれる「監視対象：患者」、「条件１：カルテ情報の表示中」、「条件２：起立」、及び「条件設定：条件１  ＡＮＤ  条件２」が、認識している「患者が起立する動作」、及び「電子カルテに関する情報の表示処理」と一致すると判断する（ステップＳ６４のＹｅｓ）。制御回路１３は、レコード４５に含まれる「表示先：患者」、及び「処理：診療入力処理終了」を取得する（ステップＳ６５）。「診療入力処理終了」は、診療入力処理を終了させる処理である。
【００７７】
制御回路１３は、ステップＳ６５で取得した処理が「処理：診療入力処理終了」である場合（ステップＳ６６のＹｅｓ）、制御回路１３は、表示装置２０−２における電子カルテに関する情報の表示を終了する。
【００７８】
以上のように、本実施形態では、サーバ１０は、電子カルテに関する情報に基づき、画像データを発生する。サーバ１０は、発生した画像データと、この画像データに係る画像を患者の位置を想定した位置へ表示させるための制御情報とを表示装置２０−１へ送信する。信号発生器３０−１，３０−２は、医師、及び患者の状態を監視し、医師、及び患者の状態変化に応じた検知信号を発生する。そして、サーバ１０は、信号発生器３０−１，３０−２で発生される検知信号に基づき、画像データ、及び／又は制御情報を変更するようにしている。これにより、病院情報システム１は、患者を捉える医師の視界内に、電子カルテに関する情報を表示させることが可能となる。
【００７９】
したがって、本実施形態に係る病院情報システム１によれば、医師は、患者への注意を維持したまま診察することができる。
【００８０】
また、本実施形態では、サーバ１０は、発生した画像データと、この画像データに係る画像を医師の位置を想定した位置へ表示させるための制御情報とを表示装置２０−２へ送信する。信号発生器３０−１，３０−２は、医師、及び患者の状態を監視し、医師、及び患者の状態変化に応じた検知信号を発生する。そして、サーバ１０は、信号発生器３０−１，３０−２で発生される検知信号に基づき、画像データ、及び／又は制御情報を変更するようにしている。これにより、病院情報システム１は、医師を捉える患者の視界内に、電子カルテに関する情報を常に表示させることが可能となる。また、病院情報システム１は、診察の際に患者が所望の情報を閲覧可能となるため、医師による診察への不安を和らげることが可能となる。
【００８１】
また、本実施形態では、信号発生器３０−１は、医師の動作を監視し、医師の動作に関する検知信号を発生する。そして、サーバ１０は、信号発生器３０−１で発生される検知信号に基づき、医師の動作を認識する。サーバ１０は、認識した動作に基づき、画像データ、及び／又は制御情報を変更すると共に、電子カルテへの入力を受け付けるようにしている。これにより、病院情報システム１は、視界内に患者を捉えながら、電子カルテに関する情報を医師に入力させることが可能となる。
【００８２】
また、本実施形態では、サーバ１０は、信号発生器３０−１により検知される医師の状態、又は信号発生器３０−２により検知される患者の状態に応じ、発生する画像データを切り換えるようにしている。すなわち、本実施形態に係るサーバ１０は、患者、及び医師のジェスチャーに合わせ、表示装置２０−１，２０−２に表示させる内容を切り換えるようにしている。これにより、病院情報システム１は、画面起動時、及び画面切り替え時のクリック数を削減することが可能となる。したがって、本実施形態に係る病院情報システム１によれば、医師による診察時間を短縮させることができる。
【００８３】
また、本実施形態では、病院情報システム１は、電子カルテ情報ＤＢ１２１と、紐付情報ＤＢ１２２とを具備する。紐付情報ＤＢ１２２には、動作紐付きテーブル１２２１と、表示制御テーブル１２２２とが記憶されている。サーバ１０は、信号発生器３０−１，３０−２から送信される検知信号により表される情報を、動作紐付きテーブル１２２１と照合させ、実施する処理を決定する。サーバ１０は、決定した処理を実行するのに必要な情報を電子カルテ情報ＤＢ１２１から読み出し、読み出した情報から画像データを発生する。サーバ１０は、決定した処理を、表示制御テーブル１２２２と照合させ、発生した画像データについての制御情報を取得する。そして、サーバ１０は、発生した画像データに係る画像を、取得した制御情報に従って表示装置２０−１，２０−２に表示させるようにしている。これにより、病院情報システム１は、患者を捉える医師の視界内、及び医師を捉える患者の視界内に、電子カルテに関する情報を表示させることが可能となる。
【００８４】
また、本実施形態では、表示装置２０−１，２０−２は、医師、又は患者等の頭部に装着可能なＨＭＤである。これにより、診察室にモニタを設置するための十分なスペースがない場合であっても、電子カルテに関する情報を確認することが可能となると共に、電子カルテへ必要情報を入力することが可能となる。
【００８５】
なお、上記実施形態では、医師は、表示装置２０−１により、患者氏名領域ＡＲ３、病名領域ＡＲ４、カルテ領域ＡＲ５、検査結果レポート領域ＡＲ８、注意領域ＡＲ９、機能一覧領域ＡＲ１０を視認可能な場合を例に説明した。しかしながら、これに限定されない。表示装置２０−１には、患者に対するメモが表示されてもよい。メモとして表示される情報は、例えば、電子カルテ情報、又は患者情報に記憶されている。このメモ情報は、患者側の装置である表示装置２０−２に表示されてもよいし、表示されなくてもよい。表示装置２０−２にも表示される場合、メモ情報には、アレルギー情報、感染症情報等、医師と患者とで共有すべき情報が含まれる。表示装置２０−２に表示されない場合、メモ情報には、例えば、クレーム情報等、特定の患者を診察する際の注意点等に関する情報が含まれる。
【００８６】
患者についてのメモを表示させる場合、表示制御テーブル１２２２には、メモを表示装置２０−１，２０−２へ表示させるためのレコードが記憶される。図１７は、患者についてのメモを表示させる場合の表示制御テーブル１２２２の例を表す図である。制御回路１３は、図１７に示される表示制御テーブル１２２２を参照し、表示装置２０−１，２０−２へメモ情報を表示するか否かを判断する。
【００８７】
また、上記実施形態では、紐付情報ＤＢ１２２に、動作紐付きテーブル１２２１と、表示制御テーブル１２２２とが記憶されている場合を例に説明した。しかしながら、これに限定されない。動作紐付きテーブル１２２１と、表示制御テーブル１２２２とに記憶される情報が、単一のテーブルで記憶されても構わない。
【００８８】
また、上記実施形態では、医師が表示装置２０−１を使用し、患者が表示装置２０−２を使用する場合を例に説明した。しかしながら、これに限定されない。病院情報システム１は、図１８に示されるように、看護師用に設けられる表示装置２０−３をさらに具備してもよい。このような場合、動作紐付きテーブル１２２１には、例えば、図１９に示される情報が記憶され、表示制御テーブル１２２２には、例えば、図２０に示される情報が記憶される。制御回路１３は、図１９に示される動作紐付きテーブル１２２１と、図２０に示される表示制御テーブル１２２２とを参照し、生成した画像データを表示装置２０−３に表示させる。
【００８９】
また、上記実施形態では、図１１において、注意領域ＡＲ９が表示される場合を例に説明した。注意領域ＡＲ９は、患者の動作に応じて表示装置２０−１に表示されるようにしても構わない。このとき、患者の動作に応じた所定の処理が実施可能に、動作紐付きテーブル１２２１、及び表示制御テーブル１２２２にレコードが登録されている。例えば、動作紐付きテーブル１２２１に、「監視対象：患者」、「表示先：医師」、「処理：症状表示処理」、「条件１：診療入力処理実施中」、「条件２：患部への接触」、及び「条件設定：条件１  ＡＮＤ  条件２」を含むレコードが登録される。また、表示制御テーブル１２２２に、「処理：症状表示処理」、「表示位置：ｘ，ｘ，ｘ」、「表示先：医師」、「権限：編集」を含むレコードが登録される。
【００９０】
そして、例えば、ステップＳ６３において、信号発生器３０−２により撮影された画像を解析した結果、制御回路１３が、患者が腹部の痛みを訴える動作を認識したとする。制御回路１３は、「診療入力処理」、及び「患者が腹部の痛みを訴える動作」と、動作紐付きテーブル１２２１とを照合する。制御回路１３は、「監視対象：患者」、「条件１：診療入力処理実施中」、「条件２：患部への接触」、及び「条件設定：条件１  ＡＮＤ  条件２」が、「診療入力処理」、及び「患者が腹部の痛みを訴える動作」と一致すると判断する。制御回路１３は、レコードに含まれる「表示先：医師」、及び「処理：症状表示処理」を取得する。
【００９１】
制御回路１３は、「表示先：医師」、及び「処理：症状表示処理」を、表示制御テーブル１２２２に照合させる。制御回路１３は、レコードに含まれる「表示位置：ｘ，ｘ，ｘ」、及び「権限：編集」を取得する。制御回路１３は、「処理：症状表示処理」に応じた情報を記憶回路１２から読み出す。本例においては、制御回路１３は、「腹痛有り」のメッセージ情報、及び既往歴に関する情報を記憶回路１２から読み出す。制御回路１３は、読み出した情報に基づいて注意領域ＡＲ９に関する画像データを生成する。制御回路１３は、取得した「表示位置：ｘ，ｘ，ｘ」、及び「権限：編集」に基づいて注意領域ＡＲ９を表示するように、表示装置２０−１を制御する。
【００９２】
また、上記実施形態では、患者が椅子に座ると表示装置２０−２へ電子カルテに関する情報を表示するばあいを例に説明した。しかしながら、これに限定されない。制御回路１３は、患者リストに基づいて認識されている患者と、実際に入室してきた患者とが異なる人物である場合、電子カルテに関する情報を表示装置２０−２に表示しないようにしてもよい。このとき、電子カルテ情報ＤＢ１２１には、患者を識別可能な情報、例えば、顔情報が登録されている。
【００９３】
そして、例えば、ステップＳ６３において、信号発生器３０−２により撮影された画像を解析した結果、制御回路１３が、患者の顔を認識する。制御回路１３は、患者リストに基づき、この診察において入室することが予定されている患者の顔情報を、電子カルテ情報ＤＢ１２１から読み出す。制御回路１３は、認識した顔と、読み出した顔情報とを照合する。認識した顔と、読み出した顔情報とが異なる場合、制御回路１３は、電子カルテに関する情報を表示することを禁止し、かつ、入室した患者が、診察を予定していた患者と異なる可能性を表示装置２０−１に表示させる。このとき、表示装置２０−２には、患者へ診察が異なる可能性を示唆する内容を表示してもよい。
【００９４】
（その他の実施形態）  
上記実施形態では、医師が患者を診察する際に病院情報システム１が利用される場合を例に説明した。しかしながら、病院情報システム１が利用される状況は、医師が患者を診察する場に限られない。例えば、病院情報システム１は、超音波診断装置による検査等で用いられてもよい。
【００９５】
例えば、サーバ１０は、超音波診断装置によって撮影される超音波画像を表示装置２０−１，２０−２に表示させる。また、サーバ１０は、医師による所定の動作、又は所定の発言に応じ、撮影されている超音波画像を所見情報として電子カルテ情報ＤＢ１２１へ記録する。なお、所定の発言とは、超音波画像を記録することを指示する発言を意味し、例えば、「撮影」との発言である。
【００９６】
具体的には、例えば、紐付情報ＤＢ１２２には、図２１に示される動作紐付けテーブル１２２１と、図２２に示される表示制御テーブル１２２２とが記憶されている。
【００９７】
そして、ステップＳ６３において、信号発生器３０−１，３０−２により撮影された画像を解析した結果、制御回路１３が、医師が超音波プローブに接触する動作、及び患者が寝台へ横たわっていることを認識したとする。制御回路１３は、「医師が超音波プローブに接触する動作」、及び「患者が寝台へ横たわる動作」と、動作紐付きテーブル１２２１とを照合する。制御回路１３は、「監視対象：医師、患者」、「条件１：超音波プローブへの接触」、「条件２：寝台への横たわり」、及び「条件設定：条件１  ＡＮＤ  条件２」が、「医師が超音波プローブに接触する動作」、及び「患者が寝台へ横たわる動作」と一致すると判断する。制御回路１３は、レコードに含まれる「表示先：医師」、「表示先：患者」、及び「処理：画像表示処理」を取得する。
【００９８】
制御回路１３は、「表示先：医師」、「表示先：患者」、及び「処理：画像表示処理」を、表示制御テーブル１２２２に照合させる。制御回路１３は、レコードに含まれる「表示位置：１０，０，５０」、及び「権限：参照」を取得する。制御回路１３は、「処理：画像表示処理」に応じ、超音波診断装置で撮影される超音波画像を取得する。制御回路１３は、取得した超音波画像に基づいて画像データを生成する。制御回路１３は、取得した「表示位置：１０，０，５０」、及び「権限：参照」に基づいて画像データを表示するように、表示装置２０−１，２０−２を制御する。
【００９９】
また、表示装置２０−１，２０−２に超音波画像が表示されている場合に、ステップＳ６３において、制御回路１３が、医師の手が現実空間における所定の位置へ移動されたことを認識したとする。制御回路１３は、「超音波画像の表示処理」、及び「医師が手を所定の位置へ移動させる動作」と、動作紐付きテーブル１２２１とを照合する。制御回路１３は、「監視対象：医師」、「条件１：超音波画像の表示中」、「条件２：位置ｘへの手の移動」、及び「条件設定：条件１  ＡＮＤ  条件２」が、「超音波画像の表示処理」、及び「医師が手を所定の位置へ移動させる動作」と一致すると判断する。制御回路１３は、レコードに含まれる「処理：画像登録処理」を取得する。制御回路１３は、「処理：画像登録処理」に応じ、超音波診断装置で撮影される超音波画像を取得する。制御回路１３は、取得した超音波画像を所見情報として電子カルテ情報ＤＢ１２１へ記録する。
【０１００】
なお、サーバ１０の処理は上記に限定されない。例えば、サーバ１０は、医師による所定の動作、又は所定の発言に応じ、表示装置２０−１，２０−２に表示されている超音波画像の表示形式を切り替えるようにしてもよい。
【０１０１】
これにより、病院情報システム１は、超音波プローブを操作する医師の視界内に、超音波画像を表示させることが可能となる。したがって、本実施形態に係る病院情報システム１によれば、医師は、患者への注意を維持したまま超音波診断装置による検査を実施することができる。また、病院情報システム１は、寝台に載置される患者の視界内に、超音波画像を表示させることが可能となるため、患者の検査への不安を和らげることが可能となる。
【０１０２】
また、病院情報システム１は、耳鼻科における検査等で用いられてもよい。例えば、サーバ１０は、内視鏡装置によって撮影される内視鏡画像を表示装置２０−２に表示させる。また、サーバ１０は、医師による所定の動作、又は所定の発言に応じ、撮影されている内視鏡画像を所見情報として電子カルテ情報ＤＢ１２１へ記録する。なお、所定の発言とは、内視鏡画像を記録することを指示する発言を意味し、例えば、「撮影」との発言である。
【０１０３】
具体的には、例えば、紐付情報ＤＢ１２２には、図２３に示される動作紐付けテーブル１２２１と、図２４に示される表示制御テーブル１２２２とが記憶されている。
【０１０４】
そして、ステップＳ６３において、信号発生器３０−１，３０−２により撮影された画像を解析した結果、制御回路１３が、医師が内視鏡装置の操作部に接触する動作、及び患者が寝台へ横たわっていることを認識したとする。制御回路１３は、「医師が内視鏡装置の操作部に接触する動作」、及び「患者が寝台へ横たわる動作」と、動作紐付きテーブル１２２１とを照合する。制御回路１３は、「監視対象：医師、患者」、「条件１：内視鏡装置の操作部への接触」、「条件２：寝台への横たわり」、及び「条件設定：条件１  ＡＮＤ  条件２」が、「医師が内視鏡装置の操作部に接触する動作」、及び「患者が寝台へ横たわる動作」と一致すると判断する。制御回路１３は、レコードに含まれる「表示先：患者」、及び「処理：画像表示処理」を取得する。
【０１０５】
制御回路１３は、「表示先：患者」、及び「処理：画像表示処理」を、表示制御テーブル１２２２に照合させる。制御回路１３は、レコードに含まれる「表示位置：１０，０，５０」、及び「権限：参照」を取得する。制御回路１３は、「処理：画像表示処理」に応じ、内視鏡装置で撮影される内視鏡画像を取得する。制御回路１３は、取得した内視鏡画像に基づいて画像データを生成する。制御回路１３は、取得した「表示位置：１０，０，５０」、及び「権限：参照」に基づいて画像データを表示するように、表示装置２０−２を制御する。
【０１０６】
また、表示装置２０−２に内視鏡画像が表示されている場合に、ステップＳ６３において、制御回路１３が、医師の手が現実空間における所定の位置へ移動されたことを認識したとする。制御回路１３は、「内視鏡画像の表示処理」、及び「医師が手を所定の位置へ移動させる動作」と、動作紐付きテーブル１２２１とを照合する。制御回路１３は、「監視対象：医師」、「条件１：内視鏡画像の表示中」、「条件２：位置ｘへの手の移動」、及び「条件設定：条件１  ＡＮＤ  条件２」が、「内視鏡画像の表示処理」、及び「医師が手を所定の位置へ移動させる動作」と一致すると判断する。制御回路１３は、レコードに含まれる「処理：画像登録処理」を取得する。制御回路１３は、「処理：画像登録処理」に応じ、内視鏡装置で撮影される内視鏡画像を取得する。制御回路１３は、取得した内視鏡画像を所見情報として電子カルテ情報ＤＢ１２１へ記録する。
【０１０７】
なお、サーバ１０の処理は上記に限定されない。例えば、サーバ１０は、医師による所定の動作、又は所定の発言に応じ、表示装置２０−１，２０−２に表示されている内視鏡画像の表示形式を切り替えるようにしてもよい。
【０１０８】
これにより、病院情報システム１は、医師が電子カルテへの情報の入力に注意を払わずとも、情報の入力を可能としている。したがって、本実施形態に係る病院情報システム１によれば、医師は、患者への注意を維持したまま内視鏡装置による検査を実施することができる。また、病院情報システム１は、寝台に載置される患者の視界内に、内視鏡画像を表示させることが可能となるため、患者の検査への不安を和らげることが可能となる。
【０１０９】
また、病院情報システム１は、皮膚科における検査等で用いられてもよい。例えば、サーバ１０は、撮影装置によって撮影される診察部位の画像を、医師による所定の動作、又は所定の発言に応じ、所見情報として電子カルテ情報ＤＢ１２１へ記録する。なお、所定の発言とは、診察部位の画像を記録することを指示する発言を意味し、例えば、「撮影」との発言である。
【０１１０】
具体的には、例えば、紐付情報ＤＢ１２２には、図２５に示される動作紐付けテーブル１２２１が記憶されている。
【０１１１】
そして、ステップＳ６３において、信号発生器３０−１により撮影された画像を解析した結果、制御回路１３が、医師の手が現実空間における所定の位置へ移動されたことを認識したとする。制御回路１３は、「医師が手を所定の位置へ移動させる動作」と、動作紐付きテーブル１２２１とを照合する。制御回路１３は、「監視対象：医師」、「条件１：位置ｘへの手の移動」、及び「条件設定：条件１」が、「医師が手を所定の位置へ移動させる動作」と一致すると判断する。制御回路１３は、レコードに含まれる「処理：画像登録処理」を取得する。制御回路１３は、「処理：画像登録処理」に応じ、撮影装置で撮影される診察画像を取得する。制御回路１３は、取得した診察画像を所見情報として電子カルテ情報ＤＢ１２１へ記録する。なお、サーバ１０の処理は上記に限定されない。
【０１１２】
これにより、病院情報システム１は、医師が電子カルテへの情報の入力に注意を払わずとも、情報の入力を可能としている。したがって、本実施形態に係る病院情報システム１によれば、医師は、患者への注意を維持したまま診察することができる。
【０１１３】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。
【０１１４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
１…病院情報システム、１０…サーバ、１１…通信インタフェース回路、１２…記憶回路、１２１…紐付情報ＤＢ、１２２１…動作紐付きテーブル、１２２２…表示制御テーブル、１３…制御回路、１３１…処理制御機能、１３２…画像生成機能、１３３…表示制御機能、２０，２０−１，２０−２，２０−３…表示装置、２１…第１表示部、２２…第２表示部、２３…第１表示駆動部、２４…第２表示駆動部、２５…生成機構、２６…表示機構、２７…生成機構、２８…スクリーン、３０−１，３０−２…信号発生器。
【図１】
2018136834.tif 000003
【図２】
2018136834.tif 000004
【図３】
2018136834.tif 000005
【図４】
2018136834.tif 000006
【図５】
2018136834.tif 000007
【図６】
2018136834.tif 000008
【図７】
2018136834.tif 000009
【図８】
2018136834.tif 000010
【図９】
2018136834.tif 000011
【図１０】
2018136834.tif 000012
【図１１】
2018136834.tif 000013
【図１２】
2018136834.tif 000014
【図１３】
2018136834.tif 000015
【図１４】
2018136834.tif 000016
【図１５】
2018136834.tif 000017
【図１６】
2018136834.tif 000018
【図１７】
2018136834.tif 000019
【図１８】
2018136834.tif 000020
【図１９】
2018136834.tif 000021
【図２０】
2018136834.tif 000022
【図２１】
2018136834.tif 000023
【図２２】
2018136834.tif 000024
【図２３】
2018136834.tif 000025
【図２４】
2018136834.tif 000026
【図２５】
2018136834.tif 000027